(57)【要約】【課題】適切な架台を容易に構築できると共に、架台の下側に出入できる解放された通路を適切に設けることができるパイプ部材による太陽光発電パネル用架台を提供する。【解決手段】地面に打ち込まれた一対の基礎杭パイプ１２、１２に、基礎水平パイプ１３が架け渡される状態に固定されることで、基礎部１１が設けられ、該基礎部１１の複数が列状に配置されると共に複数の基礎水平パイプ１３の高さが統一されるように設置されることで基礎部の列１０が構成され、一列の土台パイプ２２が複数の基礎水平パイプ１３上に固定されることでライン状土台部２１が設けられ、該ライン状土台部２１の複数が平行に配置されることで、ライン状土台部の列２０が構成され、該ライン状土台部の列２０を土台とし、土台パイプ２２に、太陽光発電パネル４０を支持する支柱パイプ３１を起立するように固定することで構築されている。【選択図】図２
2018019455.tif 000002
【特許請求の範囲】
【請求項１】
地面に打ち込まれた一対の基礎杭パイプに、基礎水平パイプが架け渡される状態に固定されることで、基礎部が設けられ、
該基礎部の複数が列状に配置されると共に複数の前記基礎水平パイプの高さが統一されるように設置されることで基礎部の列が構成され、
該基礎部の列によって構成される前記基礎水平パイプの列に架け渡されるように、一列の土台パイプが複数の該基礎水平パイプ上に固定されることでライン状土台部が設けられ、
該ライン状土台部の複数が平行に配置されることで、出入できる解放された通路が設けられるように、ライン状土台部の列が構成され、
該ライン状土台部の列を土台とし、前記土台パイプに、太陽光発電パネルを支持する支柱パイプを起立するように固定することで構築されていることを特徴とするパイプ部材による太陽光発電パネル用架台。
【請求項２】
前記ライン状土台部と、前記支柱パイプと、該支柱パイプに固定される梁パイプとの三つの構成のうちのいずれか二つの構成の間に架け渡されて固定される筋交いパイプを少なくとも一つ備えることを特徴とする請求項１記載のパイプ部材による太陽光発電パネル用架台。
【請求項３】
前記基礎部の列の上に複数列の土台パイプが配されて固定されることで設けられたライン状土台部が、一部に配置されていることを特徴とする請求項１又は２記載のパイプ部材による太陽光発電パネル用架台。
【発明の詳細な説明】
【技術分野】
【０００１】
この発明は、多数の太陽光発電パネルを支持して設置するため、単管パイプ等のパイプ部材によって好適且つ容易に構築できる太陽光発電パネル用架台に関する。
【背景技術】
【０００２】
従来、パイプ部材による太陽光発電パネル用架台としては、例えば、太陽光発電装置の傾斜架台の基礎部分をパイプ状で、先端に尖った三角錘部、上端にドーム状の閉塞部を備えた基礎部材を所定の施工個所に油圧ハンマ等で打設して施工するもので、各基礎部材は側面の中央より下側に２つの湾曲したフィンが固着されており、打設後、２つのフィンが地中に埋設された状態となり、基礎部材を地面から引き抜こうとした際の抵抗となる太陽光発電装置の傾斜架台（特許文献１参照）が、提案されている。
【０００３】
また、この太陽光発電装置の傾斜架台は、前列の基礎部材の地上部分には比較的短い支柱部材としての単管がクランプにより鉛直かつ上端が同一高さに揃うように締結されており、後列の基礎部材の地上部分には比較的長い支柱部材としての単管がクランプにより鉛直かつ上端が同一高さに揃うように締結されている。後側の単管の上端は前側の単管の上端より高くなっている。前側の基礎部材の地上部分と後側の単管の下部の間に、下部補強部材としての単管がクランプにより水平かつ互いに同一高さとなるように締結されている。これによれば、パイプ部材によって太陽光発電パネル用架台を好適に構築できる。
【先行技術文献】
【特許文献】
【０００４】
【特許文献１】特開２０１６−４２７５３号公報（第１頁、［００１３］）
【発明の概要】
【発明が解決しようとする課題】
【０００５】
パイプ部材による太陽光発電パネル用架台に関して解決しようとする問題点は、前述の先行技術によれば、支柱部材（支柱パイプ）を基礎部材（基礎杭パイプ）に直接固定するもので、基礎杭パイプが精度良く打設されないと、支柱パイプの位置精度を高めることができないため、基礎杭パイプの打設のやり直しなど、施工の品質と効率を高めることが難しいことにある。すなわち、この基礎杭パイプの打設は地面に対してなされるもので、地中に石などの障害物がある場合を含め、その打設の位置精度を高めることは難しく、複数の支柱パイプを、所要の間隔を空けて真っ直ぐ一列に配置することは難しくなり易い。
【０００６】
また、前述の先行技術によれば、前側の基礎部材（基礎杭パイプ）の地上部分と後側の単管（支柱パイプ）の下部の間に、下部補強部材としての単管がクランプにより水平かつ互いに同一高さとなるように締結されていることで、所要の強度を備える構成になっているが、この下部補強部材によれば、太陽光発電パネルが設置された下側のスペースを塞ぐことになり、容易には出入することができなくなる。このため、太陽光発電パネルが設置された下側の地面のスペースについて、農地等としての利活用が難しいことや、乗用草刈機が進入できないため草刈作業に手間がかかるなど、その土地利用や保守管理を適切に行うことが難しいという課題がある。
【０００７】
そこで本発明の目的は、基礎杭パイプの打設にかかる位置精度を高めることを必要としないで、適切な架台を容易に構築できると共に、土地利用や保守管理のために架台の下側に出入できる解放された通路を適切に設けることができるパイプ部材による太陽光発電パネル用架台を提供することにある。
【課題を解決するための手段】
【０００８】
上記の課題を解決するため、本発明は、次の構成を備える。
本発明に係るパイプ部材による太陽光発電パネル用架台の一形態によれば、地面に打ち込まれた一対の基礎杭パイプに、基礎水平パイプが架け渡される状態に固定されることで、基礎部が設けられ、該基礎部の複数が列状に配置されると共に複数の前記基礎水平パイプの高さが統一されるように設置されることで基礎部の列が構成され、該基礎部の列によって構成される前記基礎水平パイプの列に架け渡されるように、一列の土台パイプが複数の該基礎水平パイプ上に固定されることでライン状土台部が設けられ、該ライン状土台部の複数が平行に配置されることで、出入できる解放された通路が設けられるように、ライン状土台部の列が構成され、該ライン状土台部の列を土台とし、前記土台パイプに、太陽光発電パネルを支持する支柱パイプを起立するように固定することで構築されている。
【０００９】
また、本発明に係るパイプ部材による太陽光発電パネル用架台の一形態によれば、前記ライン状土台部と、前記支柱パイプと、該支柱パイプに固定される梁パイプとの三つの構成のうちのいずれか二つの構成の間に架け渡されて固定される筋交いパイプを少なくとも一つ備えることを特徴とすることができる。
【００１０】
また、本発明に係るパイプ部材による太陽光発電パネル用架台の一形態によれば、前記基礎部の列の上に複数列の土台パイプが配されて固定されることで設けられたライン状土台部が、一部に配置されていることを特徴とすることができる。
【発明の効果】
【００１１】
本発明に係るパイプ部材による太陽光発電パネル用架台によれば、基礎杭パイプの打設にかかる位置精度を高めることを必要としないで、適切な架台を容易に構築できると共に、土地利用や保守管理のために架台の下側に出入できる解放された通路を適切に設けることができるという特別有利な効果を奏する。
【図面の簡単な説明】
【００１２】
【図１】本発明に係るパイプ部材による太陽光発電パネル用架台の土台を構成するライン状土台部の列の形態例を示す斜視図である。
【図２】図１の形態例のライン状土台部の列を用い、本発明に係るパイプ部材による太陽光発電パネル用架台を構築した状態を示す斜視図である。
【図３】本発明に係るパイプ部材による太陽光発電パネル用架台に設置できる回動駆動装置を含む回動駆動機構の形態例を模式的に示す側面図である。
【図４】図４の形態例を模式的に示す平面図である。
【発明を実施するための形態】
【００１３】
以下、本発明に係るパイプ部材による太陽光発電パネル用架台の形態例を図面（図１〜４）に基づいて説明する。この形態例のパイプ部材による太陽光発電パネル用架台は、多数の太陽光発電パネル４０（図３及び４参照）を支持して好適且つ容易に設置することができるように、単管パイプ等のパイプ部材によって構築できる一例であって、その太陽光発電パネル４０の支持形態は、太陽光発電パネル４０を単に固定・設置するものに限定されるものではなく、図３及び４に示すような太陽追尾機構を有するものも含まれる。
【００１４】
１１は基礎部であり、図１に示すように、地面Ｇに打ち込まれた一対の基礎杭パイプ１２、１２に、基礎水平パイプ１３が架け渡される状態に固定されることで設けられている。本形態例では、基礎杭パイプ１２が単管杭によって構成され、基礎水平パイプ１３が単管パイプによって構成されている。また、本形態例の基礎杭パイプ１２と基礎水平パイプ１３とは、単管クランプ１５によって連結・固定されている。
【００１５】
また、その基礎部１１の複数が列状に配置されると共に複数の基礎水平パイプ１３の高さが統一されるように設置されることで基礎部の列１０が構成されている。すなわち、複数の基礎水平パイプ１３が、所要の間隔をおいて、原則的に、平行に置かれた状態にそれぞれが一対の基礎杭パイプ１２、１２によって支持され、一直線上に並んだ状態に配置されている。
【００１６】
なお、複数の基礎水平パイプ１３の高さが統一されるように設置されるとは、一直線の形態のパイプ（直管）が、複数の基礎水平パイプ１３の上に当接されて受けられることで支持・固定されるように、複数の基礎水平パイプ１３で直線を受ける仮想のライン又は仮想のライン状の面が構築されることである。すなわち、ある一定の高さの水平ライン状の面に限定されるものではなく、後述する一本の土台パイプ２２又は長さ方向に連結されて一本状に形成された土台パイプ２２が、受けられて載置・固定される直線上の載置ラインが構築されればよく、例えば、傾斜地に太陽光発電パネルを設置する場合のように、その載置ラインが傾斜した一直線状であってもよい。
【００１７】
このとき、複数の基礎水平パイプ１３同士が、厳密に平行に配置されていることを必要としないと共に、基礎水平パイプ１３の長さの範囲内で、一直線上に配置される部位が所要範囲以上に確保されて前述の載置ラインが構築されている状態であれば、基礎水平パイプ１３の長さ方向（図１における左右の幅方向）にずれていてもよく、ずれなく正確に一直線上に並んだ状態に配置されていることを必要としない。また、複数の基礎部１１（基礎水平パイプ１３）同士は、本形態例では実質的に等間隔に配置されているが、補強を要する部分にはその間隔を狭めるなど、適宜に配置することも可能である。
【００１８】
また、その基礎部の列１０によって構成される基礎水平パイプ１３の列に架け渡されるように、一列の土台パイプ２２が複数の基礎水平パイプ１３上に固定されることでライン状土台部２１が設けられ、そのライン状土台部２１の複数が平行に配置されることで、出入できる解放された通路が設けられるように、ライン状土台部の列２０が構成されている。本形態例では、土台パイプ２２が、単管パイプによって構成され、基礎水平パイプ１３とは単管クランプ１５によって連結・固定されている。
【００１９】
そして、このライン状土台部の列２０を土台とし、土台パイプ２２に、太陽光発電パネル４０を支持する支柱パイプ３１を起立するように固定することで、本発明に係るパイプ部材による太陽光発電パネル用架台が構築されている。本形態例では、支柱パイプ３１が、単管パイプによって構成され、土台パイプ２２とは単管クランプ（図示せず）によって連結・固定されている。なお、図２において、支柱パイプ３１の上側に二点鎖線で記載したスペースは、太陽光発電パネル４０が設置されるように確保される所要の高さ位置の取り付け空間を示している。
【００２０】
このパイプ部材による太陽光発電パネル用架台によれば、基礎杭パイプ１２の打設にかかる位置精度を高めることを必要としないで、適切な架台を容易に構築できると共に、土地利用や保守管理のために架台の下側に出入できる解放された通路を適切に設けることができるという特別有利な効果を奏する。
【００２１】
すなわち、本発明に係るパイプ部材による太陽光発電パネル用架台によれば、支柱パイプを基礎水平パイプ１３に固定するもので、基礎杭パイプ１２が精度良く打設されない場合でも、一対の基礎杭パイプ１２、１２の間隔に架け渡された基礎水平パイプ１３の長さ方向の巾の範囲内で、土台パイプ２２が固定される位置範囲が許容され、その土台パイプ２２を精度良く直線状に固定できる。このため、その土台パイプ２２に固定される支柱パイプ３１の位置精度を適切に高めることができる。すなわち、本発明に係る基礎杭パイプ１２の打設は、地面Ｇに対してなされるもので、例えば地中に石などの障害物がある場合はその障害物を回避して位置を多少ずらして行う必要があり、その打設の位置精度を高めることは難しい。これに対して、本発明では、基礎水平パイプ１３に精度良く固定された土台パイプ２２に、複数の支柱パイプ３１を固定することで、その複数の支柱パイプ３１を、所要の間隔を空けて真っ直ぐ一列に配置・立設することを、確実且つ容易に実現できる。
【００２２】
また、本発明に係るパイプ部材による太陽光発電パネル用架台によれば、隣り合うライン状土台部２１、２０同士の間の地面Ｇが開放された通路Ｐになるため、太陽光発電パネル４０が設置された下側のスペースが好適に解放されることになり、容易に出入することができる構成になっている。このため、太陽光発電パネルが設置された下側の地面のスペースについて、農地等としての利活用が可能となることや、乗用草刈機が進入できるため草刈作業を効率よく行うことができるなど、その土地利用や保守管理を適切に行うことができるという特別有利な効果を奏する。
【００２３】
さらに、本形態例では、ライン状土台部２１と、支柱パイプ３１と、その支柱パイプ３１に固定される梁パイプ３２との三つの構成のうちのいずれか二つの構成の間に架け渡されて固定される筋交いパイプ３３を少なくとも一つ備える構成になっている。本形態例の筋交いパイプ３３は、単管パイプで構成されており、単管クランプ（図示せず）によって他のパイプ部材と連結・固定されている。
【００２４】
これによれば、本発明に係るパイプ部材による太陽光発電パネル用架台の構造強度を、単管クランプなどの汎用品を使用して、適切且つ安価に高めることができる。なお、架台の補強構造は、これに限定されるものではなく、板材を利用して軸組み構造にかかる変形荷重を受ける形態とすることや、適宜に設計された補強金具を利用するなど、既存の補強形態を適宜選択的に用いることができるのは勿論である。
【００２５】
また、基礎部１１の列の上に複数列の土台パイプ２２が配されて固定されることで設けられたライン状土台部２１が、一部に配置されているように構成することで、その一部について、本発明に係るパイプ部材による太陽光発電パネル用架台の構造強度を、単管クランプなどの汎用品を使用して、適切且つ安価に高めることができる。なお、複数列の土台パイプ２２は、基礎部１１における基礎水平パイプ１３の長さ方向の巾の範囲内で配されるため、実質的に平行に配されて固定されることになる。
【００２６】
このように、本発明に係るパイプ部材による太陽光発電パネル用架台の一部について構造強度を高める必要がある場合とは、例えば、図３に示すような太陽追尾機構を備える架台を構築する場合であって、太陽追尾のための駆動装置を載置する部分のような特別に強度を必要とする部位がある際に適切に対応できる。
【００２７】
次に、図３及び４に基づいて、本発明に係るパイプ部材による太陽光発電パネル用架台に適用できる太陽追尾機構の一例を説明する。７０は回動駆動装置であり、前述したような構成によって構築された固定架台部６０（図３では支柱パイプ３１）に装着され、回動架台部５０に装着された太陽光発電パネル４０が太陽を追尾するように、回動軸パイプ５１を回動させるものである。本形態例の回動駆動装置７０は、シリンダ装置によって構成されているが、これに限定されるものではなく、例えば電動モータの駆動力を利用することも可能である。
【００２８】
これによれば、回動軸パイプ５１を中心にして、太陽光発電パネル４０を含む側と、反対側のバランス保持パイプ５５を含む側とが、重量的にバランスを取るように構成されているため、回動時の負荷を軽減できると共に、強風時などでも保持し易く耐久性を向上でき、さらに、このようにバランスを取ることで、より多くの太陽光発電パネル４０を小さな駆動力で回動させることができ、装置構成の簡素化やコスト低減を実現できる。
【００２９】
また、本形態例では、架台配置の方位が、回動軸パイプ５１が実質的に南北に延びるように、軸受部材６１が実質的に南北方向に並べられて配置されている。これによれば、一つの回動軸を備える太陽追尾機構であるが、太陽追尾機能を可及的に向上させ、発電効率を可及的に向上できる。なお、太陽追尾機構は、本形態例に限定されるものではなく、二軸以上の駆動機構を用いたものなどを、本発明に係るパイプ部材による太陽光発電パネル用架台に搭載しても良いのは勿論である。
【００３０】
また、本形態例では、太陽光発電パネル４０の南側が低くなって北側が高くなるようになっており、太陽光発電パネル４０を、太陽の仰角に対応させてより良く正対することが可能になり、一つの回動軸を備える太陽追尾機構であるが、その太陽追尾機能を可及的により向上させ、発電効率を可及的により向上できる。
【００３１】
また、図３及び４に示す形態例では、複数の四節リンク機構が形成され、一つの回動駆動装置７０（本形態例ではシリンダ装置）の駆動によって、一つの従動リンク７１を介して、複数の太陽光発電パネル４０が、太陽を同時に追尾するべく、連動するように構成されている。前述したように、本発明では、各太陽光発電パネル４０とそれを保持して回動する各回動架台部とから構成される回動部について、その回動重心と、回動軸の軸心とを一致させてバランスが良く設けられている。このため、一つ又は一列の回動軸パイプ５１によって支持された複数の太陽光発電パネル４０であって、それが一列又は複数列に配されることで設置される多数の太陽光発電パネル４０についても、一つ又は少数の回動駆動装置による小さな力の駆動力で太陽を追尾することができ、装置構成を簡素化できることから、設備費及びランニングコストの低減を実現できる。
【００３２】
以上、本発明につき好適な形態例を挙げて種々説明してきたが、本発明はこの形態例に限定されるものではなく、発明の精神を逸脱しない範囲内で多くの改変を施し得るのは勿論ことである。
【符号の説明】
【００３３】
１０  基礎部の列
１１  基礎部
１２  基礎杭パイプ
１３  基礎水平パイプ
１５  単管クランプ
２０  ライン状土台部の列
２１  ライン状土台部
２２  土台パイプ
３１  支柱パイプ
３２  梁パイプ
３３  筋交いパイプ
４０  太陽光発電パネル
５０  回動架台部
５１  回動軸
５５  バランス保持パイプ
６０  固定架台部
６１  軸受部材
７０  回動駆動装置
７１  従動リンク
Ｇ  地面
Ｐ  通路
【図１】
2018019455.tif 000003
【図２】
2018019455.tif 000004
【図３】
2018019455.tif 000005
【図４】
2018019455.tif 000006